(57)【特許請求の範囲】
【請求項１】
複数のプリズムが一方の面または両面に平行に形成されたプリズムシートを具備する照明装置において、
隣接する２つのプリズムの間の境界線と点光源の主光軸線とが平行にならないように点光源を配置し、
前記点光源から放射された光を前記プリズムシートに入射させることにより、前記プリズムシートがプリズム間の境界線に概略直交する筋状に光って見えるようにすることを特徴とする照明装置。
【請求項２】
前記点光源の主光軸線と前記プリズムシートとが０°より大きい角度をなすように、前記点光源および前記プリズムシートを配置したことを特徴とする請求項１に記載の照明装置。
【請求項３】
前記プリズムシートに形成される各プリズムの断面形状を多角形状または略円形状に設定したことを特徴とする請求項１又は２に記載の照明装置。
【請求項４】
前記プリズムシートの手前側に前記点光源を配置したことを特徴とする請求項１〜３のいずれか一項に記載の照明装置。
【請求項５】
前記プリズムシートの背面側に前記点光源を配置したことを特徴とする請求項１〜３のいずれか一項に記載の照明装置。
【請求項６】
複数のプリズムが一方の面または両面に平行に形成されたプリズムシートを２枚設け、それらのプリズムシートの間に点光源を配置し、前記点光源から放射された光をそれぞれのプリズムシートに入射させることを特徴とする請求項１〜３のいずれか一項に記載の照明装置。
【請求項７】
前記プリズムシートの背面側にミラー板を配置したことを特徴とする請求項１〜６のいずれか一項に記載の照明装置。
【発明の詳細な説明】
【技術分野】
【０００１】
本発明は、複数のプリズムが一方の面または両面に平行に形成されたプリズムシートを具備する照明装置に関し、特には、プリズムシートが筋状に光って見えるようにすることができる照明装置に関する。
【背景技術】
【０００２】
従来から、複数のプリズムが一方の面または両面に平行に形成されたプリズムシートを具備する照明装置が知られている。この種の照明装置の例としては、例えば特開２００５−２４３３４６号公報に記載されたものがある。
【０００３】
特開２００５−２４３３４６号公報に記載された照明装置では、複数のプリズムが一方の面に平行に形成されたプリズムシートと、光源としてのＬＥＤとが設けられ、更に、それらの他に、側面から入射せしめられた光源からの光を上下の出射面から出射するための導光板が設けられている。
【０００４】
また、特開２００５−２４３３４６号公報に記載された照明装置では、複数の微小なシボ、点状ドット、プリズムなどが導光板の出射面に形成されている。
【０００５】
詳細には、特開２００５−２４３３４６号公報に記載された照明装置では、まず最初に、光源から放射された光が、導光板の側面から入射せしめられる。次いで、導光板の側面から入射せしめられた放射光が、導光板の出射面に形成された複数の微小なシボ、点状ドット、プリズムなどによって反射せしめられ、導光板の出射面から出射せしめられる。換言すれば、導光板の側面から入射せしめられた放射光が、複数の微小なシボ、点状ドット、プリズムなどによって反射せしめられて、面状の光に変換せしめられ、その面状の光が導光板の出射面から出射せしめられる。
【０００６】
次いで、特開２００５−２４３３４６号公報に記載された照明装置では、導光板の出射面から出射せしめられた面状の光が、プリズムシートの一方の面から入射せしめられる。次いで、プリズムシートの一方の面から入射せしめられた面状の光の輝度が、プリズムシートに形成されたプリズムによって上昇せしめられる。次いで、輝度が上昇せしめられた面状の光が、プリズムシートの他方の面から出射せしめられる。
【０００７】
【特許文献１】特開２００５−２４３３４６号公報
【発明の開示】
【発明が解決しようとする課題】
【０００８】
つまり、特開２００５−２４３３４６号公報に記載された照明装置では、面状の光がプリズムシートに入射せしめられ、その面状の光の輝度を上昇させるためにプリズムシートが用いられている。
【０００９】
換言すれば、特開２００５−２４３３４６号公報に記載された照明装置では、プリズムシートによって面状の光の輝度を上昇させることができるものの、プリズムシートが筋状に光って見えるようにすることができなかった。
【課題を解決するための手段】
【００１０】
そこで、本発明者等は、プリズムシートが筋状に光って見えるようにするために、プリズムシートに入射せしめられる光、導光板の必要性の有無などについて鋭意研究を行った。
【００１１】
研究の結果、本発明者等は、プリズムシートが筋状に光って見えるようにするためには、導光板によって変換せしめられた面状の光よりも、むしろ、略点状の光源からの放射光が、プリズムシートに入射せしめられる光として適していることを見出した。
【００１２】
つまり、特開２００５−２４３３４６号公報に記載された照明装置のように面状の光がプリズムシートに入射せしめられる場合には、プリズムシートが筋状に光って見えるようにならないのに対し、略点状の光源からの放射光がプリズムシートに入射せしめられる場合には、プリズムシートが筋状に光って見えるようになることを見出した。
【００１３】
すなわち、プリズムシートが筋状に光って見えるようにするためには、光源からの放射光を面状の光に変換するための導光板が必要ないことを見出した。
【００１４】
更に、本発明者等は、特開２００５−２４３３４６号公報に記載された照明装置のように、光源の主光軸線とプリズムシートとが平行になるように光源およびプリズムシートを配置するのではなく、光源の主光軸線とプリズムシートとが平行にならないように光源およびプリズムシートを配置した場合に、プリズムシートが筋状に光って見えるようになることを見出した。詳細には、隣接する２つのプリズムの間の境界線と光源の主光軸線とが平行にならないように光源を配置した場合に、プリズムシートが筋状に光って見えるようになることを見出した。
【００１５】
また、本発明者等は、プリズムシートに形成される各プリズムの断面形状を多角形状または略円形状に設定した場合に、プリズムシートが筋状に光って見えるようになることを見出した。
【００１６】
更に、本発明者等は、プリズムシートの手前側に光源を配置した場合に、プリズムシートが筋状に光って見えるようになることを見出した。換言すれば、観察者とプリズムシートとの間に光源を配置した場合に、観察者からプリズムシートが筋状に光って見えるようになることを見出した。詳細には、プリズムシートの手前側（観察者側）の面にプリズムが形成されている場合、プリズムシートの背面側（観察者の反対側）の面にプリズムが形成されている場合、並びに、プリズムシートの手前側（観察者側）および背面側（観察者の反対側）の両面にプリズムが形成されている場合に、観察者からプリズムシートが筋状に光って見えるようになることを見出した。
【００１７】
また、本発明者等は、プリズムシートの背面側に光源を配置した場合に、プリズムシートが筋状に光って見えるようになることを見出した。換言すれば、観察者と光源との間にプリズムシートを配置した場合に、観察者からプリズムシートが筋状に光って見えるようになることを見出した。詳細には、プリズムシートの手前側（観察者側）の面にプリズムが形成されている場合、プリズムシートの背面側（観察者の反対側）の面にプリズムが形成されている場合、並びに、プリズムシートの手前側（観察者側）および背面側（観察者の反対側）の両面にプリズムが形成されている場合に、観察者からプリズムシートが筋状に光って見えるようになることを見出した。
【００１８】
更に、本発明者等は、複数のプリズムが一方の面または両面に平行に形成されたプリズムシートを２枚設け、それらのプリズムシートの間に光源を配置し、光源から放射された光をそれぞれのプリズムシートに入射させた場合に、１枚のみのプリズムシートが設けられている場合よりも、筋状の光が強くなることを見出した。
【００１９】
詳細には、２枚のプリズムシートのうち、手前側（観察者側）のプリズムシートの背面側（観察者の反対側）の面にプリズムが形成され、背面側（観察者の反対側）のプリズムシートの背面側（観察者の反対側）の面にプリズムが形成されている場合に、筋状の光が強くなることを見出した。
【００２０】
更に、２枚のプリズムシートのうち、手前側（観察者側）のプリズムシートの手前側（観察者側）の面にプリズムが形成され、背面側（観察者の反対側）のプリズムシートの背面側（観察者の反対側）の面にプリズムが形成されている場合に、筋状の光が強くなることを見出した。
【００２１】
また、２枚のプリズムシートのうち、手前側（観察者側）のプリズムシートの背面側（観察者の反対側）の面にプリズムが形成され、背面側（観察者の反対側）のプリズムシートの手前側（観察者側）の面にプリズムが形成されている場合に、筋状の光が強くなることを見出した。
【００２２】
更に、２枚のプリズムシートのうち、手前側（観察者側）のプリズムシートの手前側（観察者側）の面にプリズムが形成され、背面側（観察者の反対側）のプリズムシートの手前側（観察者側）の面にプリズムが形成されている場合に、筋状の光が強くなることを見出した。
【００２３】
また、本発明者等は、プリズムシートの背面側にミラー板を配置した場合に、ミラー板が設けられていない場合よりも、筋状の光が強くなることを見出した。
【００２４】
詳細には、プリズムシートの手前側（観察者側）に光源が配置され、プリズムシートの背面側（観察者の反対側）の面にプリズムが形成され、プリズムシートの背面側（観察者の反対側）にミラー板が配置されている場合に、筋状の光が強くなることを見出した。
【００２５】
更に、プリズムシートの手前側（観察者側）に光源が配置され、プリズムシートの手前側（観察者側）の面にプリズムが形成され、プリズムシートの背面側（観察者の反対側）にミラー板が配置されている場合に、筋状の光が強くなることを見出した。
【００２６】
また、プリズムシートの背面側（観察者の反対側）に光源が配置され、プリズムシートの背面側（観察者の反対側）の面にプリズムが形成され、光源の背面側（観察者の反対側）にミラー板が配置されている場合に、筋状の光が強くなることを見出した。
【００２７】
更に、プリズムシートの背面側（観察者の反対側）に光源が配置され、プリズムシートの手前側（観察者側）の面にプリズムが形成され、光源の背面側（観察者の反対側）にミラー板が配置されている場合に、筋状の光が強くなることを見出した。
【００２８】
また、２枚のプリズムシートのうち、手前側（観察者側）のプリズムシートの背面側（観察者の反対側）の面にプリズムが形成され、背面側（観察者の反対側）のプリズムシートの背面側（観察者の反対側）の面にプリズムが形成され、２枚のプリズムシートの間に光源が配置され、背面側（観察者の反対側）のプリズムシートの背面側（観察者の反対側）にミラー板が配置されている場合に、筋状の光が強くなることを見出した。
【００２９】
更に、２枚のプリズムシートのうち、手前側（観察者側）のプリズムシートの手前側（観察者側）の面にプリズムが形成され、背面側（観察者の反対側）のプリズムシートの背面側（観察者の反対側）の面にプリズムが形成され、２枚のプリズムシートの間に光源が配置され、背面側（観察者の反対側）のプリズムシートの背面側（観察者の反対側）にミラー板が配置されている場合に、筋状の光が強くなることを見出した。
【００３０】
また、２枚のプリズムシートのうち、手前側（観察者側）のプリズムシートの背面側（観察者の反対側）の面にプリズムが形成され、背面側（観察者の反対側）のプリズムシートの手前側（観察者側）の面にプリズムが形成され、２枚のプリズムシートの間に光源が配置され、背面側（観察者の反対側）のプリズムシートの背面側（観察者の反対側）にミラー板が配置されている場合に、筋状の光が強くなることを見出した。
【００３１】
更に、２枚のプリズムシートのうち、手前側（観察者側）のプリズムシートの手前側（観察者側）の面にプリズムが形成され、背面側（観察者の反対側）のプリズムシートの手前側（観察者側）の面にプリズムが形成され、２枚のプリズムシートの間に光源が配置され、背面側（観察者の反対側）のプリズムシートの背面側（観察者の反対側）にミラー板が配置されている場合に、筋状の光が強くなることを見出した。
【００３２】
以上のように、本発明は、プリズムシートが筋状に光って見えるようにすることができる照明装置を提供することを目的とする。
【００３３】
請求項１に記載の発明によれば、複数のプリズムが一方の面または両面に平行に形成されたプリズムシートを具備する照明装置において、
隣接する２つのプリズムの間の境界線と点光源の主光軸線とが平行にならないように点光源を配置し、
前記点光源から放射された光を前記プリズムシートに入射させることにより、前記プリズムシートがプリズム間の境界線に概略直交する筋状に光って見えるようにすることを特徴とする照明装置が提供される。
【００３４】
請求項２に記載の発明によれば、前記点光源の主光軸線と前記プリズムシートとが０°より大きい角度をなすように、前記点光源および前記プリズムシートを配置したことを特徴とする請求項１に記載の照明装置が提供される。
【００３５】
請求項３に記載の発明によれば、前記プリズムシートに形成される各プリズムの断面形状を多角形状または略円形状に設定したことを特徴とする請求項１又は２に記載の照明装置が提供される。
【００３６】
請求項４に記載の発明によれば、前記プリズムシートの手前側に前記点光源を配置したことを特徴とする請求項１〜３のいずれか一項に記載の照明装置が提供される。
【００３７】
請求項５に記載の発明によれば、前記プリズムシートの背面側に前記点光源を配置したことを特徴とする請求項１〜３のいずれか一項に記載の照明装置が提供される。
【００３８】
請求項６に記載の発明によれば、複数のプリズムが一方の面または両面に平行に形成されたプリズムシートを２枚設け、それらのプリズムシートの間に点光源を配置し、前記点光源から放射された光をそれぞれのプリズムシートに入射させることを特徴とする請求項１〜３のいずれか一項に記載の照明装置が提供される。
【００３９】
請求項７に記載の発明によれば、前記プリズムシートの背面側にミラー板を配置したことを特徴とする請求項１〜６のいずれか一項に記載の照明装置が提供される。
【発明の効果】
【００４０】
請求項１に記載の照明装置では、隣接する２つのプリズムの間の境界線と点光源の主光軸線とが平行にならないように点光源が配置され、その点光源から放射された光が、一方の面または両面に複数のプリズムが平行に形成されたプリズムシートに入射せしめられる。
【００４１】
つまり、特開２００５−２４３３４６号公報に記載された照明装置のように面状の光がプリズムシートに入射せしめられるのではなく、請求項１に記載の照明装置では、点光源から放射された光がプリズムシートに入射せしめられる。
【００４２】
そのため、請求項１に記載の照明装置によれば、特開２００５−２４３３４６号公報に記載された照明装置とは異なり、プリズムシートが筋状に光って見えるようにすることができる。
【００４３】
請求項２に記載の照明装置では、点光源の主光軸線とプリズムシートとが０°より大きい角度をなすように、点光源およびプリズムシートが配置されている。
【００４４】
つまり、特開２００５−２４３３４６号公報に記載された照明装置のように光源の主光軸線とプリズムシートとが平行になるように光源およびプリズムシートが配置されるのではなく、請求項２に記載の照明装置では、点光源の主光軸線とプリズムシートとが０°より大きい角度をなすように、点光源およびプリズムシートが配置されている。
【００４５】
そのため、請求項２に記載の照明装置によれば、特開２００５−２４３３４６号公報に記載された照明装置とは異なり、プリズムシートが筋状に光って見えるようにすることができる。
【００４６】
請求項３に記載の照明装置では、プリズムシートに形成される各プリズムの断面形状が多角形状または略円形状に設定されている。そのため、請求項３に記載の照明装置によれば、プリズムシートが筋状に光って見えるようにすることができる。
【００４７】
請求項４に記載の照明装置では、プリズムシートの手前側に点光源が配置されている。そのため、請求項４に記載の照明装置によれば、プリズムシートが筋状に光って見えるようにすることができる。
【００４８】
請求項５に記載の照明装置では、プリズムシートの背面側に点光源が配置されている。そのため、請求項５に記載の照明装置によれば、プリズムシートが筋状に光って見えるようにすることができる。
【００４９】
請求項６に記載の照明装置では、複数のプリズムが一方の面または両面に平行に形成されたプリズムシートが２枚設けられ、それらのプリズムシートの間に点光源が配置され、点光源から放射された光がそれぞれのプリズムシートに入射せしめられる。
【００５０】
そのため、請求項６に記載の照明装置によれば、１枚のみのプリズムシートが設けられている場合よりも、筋状の光を強くすることができる。
【００５１】
請求項７に記載の照明装置では、プリズムシートの背面側にミラー板が配置されている。そのため、請求項７に記載の照明装置によれば、ミラー板が設けられていない場合よりも、筋状の光を強くすることができる。
【発明を実施するための最良の形態】
【００５２】
以下、本発明の照明装置の第１の実施形態について説明する。図１は第１の実施形態の照明装置の右側面図、図２は第１の実施形態の照明装置の正面図である。詳細には、図２は図１に示した観察者３の背後（図１の左側）から第１の実施形態の照明装置を見た図である。
【００５３】
図１および図２において、１は複数のプリズム１ａが一方の面に平行に形成されたプリズムシートを示している。詳細には、第１の実施形態の照明装置では、プリズムシート１のプリズム１ａが、図１に示すような断面形状を図１の手前−奥側方向にスイープすることにより形成された所謂リニアプリズムによって構成されている。
【００５４】
また、図１および図２において、２は例えばＬＥＤのような概略点状の光源を示しており、２Ｌは光源２の主光軸線を示している。Ｌ１，Ｌ２は光源２から放射され、プリズムシート１に入射せしめられる光を示している。Ｌ１’，Ｌ２’はプリズムシート１から出射せしめられ、観察者３に到達する光を示している。１ｂはプリズムシート１のうち、筋状に光って見える部分を示している。
【００５５】
第１の実施形態の照明装置では、プリズムシート１に対して面状の光が入射せしめられるのではなく、図１に示すように、光源２から放射された光Ｌ１，Ｌ２がプリズムシート１に入射せしめられる。プリズムシート１に入射せしめられた入射光Ｌ１，Ｌ２は、まず最初に、プリズムシート１の入射面において屈折せしめられ、次いで、プリズム１ａによって１回以上反射せしめられる。次いで、プリズムシート１の出射面において屈折せしめられ、出射光Ｌ１’，Ｌ２’として観察者３に到達する。
【００５６】
その結果、第１の実施形態の照明装置では、図２に示すように、プリズムシート１のうち、ハッチングで示す部分１ｂが、観察者３から筋状に光って見える。
【００５７】
つまり、例えば特開２００５−２４３３４６号公報に記載された照明装置のように面状の光がプリズムシート１に入射せしめられる場合には、プリズムシート１が筋状に光って見えるようにならないのに対し、第１の実施形態の照明装置では、図１に示すように、光源２から放射された光Ｌ１，Ｌ２がプリズムシート１に入射せしめられるため、図２に示すように、プリズムシート１のうち、ハッチングで示す部分１ｂが、観察者３から筋状に光って見える。
【００５８】
このように、ハッチングで示す部分１ｂが観察者３から筋状に光って見える理由としては、以下のようなことが考えられる。
【００５９】
例えば光源２から放射された光Ｌ１，Ｌ２がプリズム１ａの無いシート（図示せず）によって反射せしめられる場合には、そのシートからの反射光が、拡散せしめられ、観察者３に集光せしめられない。その結果、そのシートは観察者３から筋状に光って見えない。
【００６０】
一方、第１の実施形態の照明装置では、図１に示すように、光源２から放射された光Ｌ１，Ｌ２が、プリズムシート１内で屈折および反射を繰り返す。その結果、プリズムシート１からの出射光のうち、図２にハッチングで示す部分１ｂからの出射光Ｌ１’，Ｌ２’が、観察者３に集光せしめられるためであると考えられる。
【００６１】
第１の実施形態の照明装置では、観察者３の側（図１の左側）からプリズムシート１および光源２を見た時に、図２に示すように、隣接する２つのプリズム１ａの間の境界線と光源２の主光軸線２Ｌとがほぼ直交するようにプリズムシート１および光源２が配置されているが、本発明者等の研究において、観察者３の側（図１の左側）からプリズムシート１および光源２を見た時に、隣接する２つのプリズム１ａの間の境界線と光源２の主光軸線２Ｌとが９０°未満の角度をなすようにプリズムシート１および光源２を配置した場合にも、プリズムシート１上に筋状に光って見える部分が現れることが確認された。
【００６２】
つまり、第１の実施形態の照明装置では、観察者３の側（図１の左側）からプリズムシート１および光源２を見た時に、図２に示すように、隣接する２つのプリズム１ａの間の境界線と光源２の主光軸線２Ｌとがほぼ直交するようにプリズムシート１および光源２が配置されているが、第２の実施形態の照明装置では、代わりに、観察者３の側（図１の左側）からプリズムシート１および光源２を見た時に、隣接する２つのプリズム１ａの間の境界線と光源２の主光軸線２Ｌとが９０°未満の角度をなすようにプリズムシート１および光源２を配置することも可能である。
【００６３】
更に、第１の実施形態の照明装置では、図１に示すように、光源２の主光軸線２Ｌとプリズムシート１とが例えば０°〜３０°のような０°より大きい角度θ１をなすように、光源２およびプリズムシート１が配置されている。換言すれば、第１の実施形態の照明装置では、光源２の主光軸線２Ｌとプリズムシート１とが平行になるように光源２およびプリズムシート１が配置されるのではなく、図１に示すように、光源２の主光軸線２Ｌとプリズムシート１とが平行にならないように光源２およびプリズムシート１が配置されている。詳細には、第１の実施形態の照明装置では、図２に示すように、隣接する２つのプリズム１ａの間の境界線と光源２の主光軸線２Ｌとが平行にならないように光源２が配置されている。
【００６４】
その結果、第１の実施形態の照明装置では、図１に示すように、集光せしめられて観察者３に到達する光Ｌ１’，Ｌ２’が比較的強くなり、図２にハッチングで示す部分１ｂが観察者３から筋状に光って見えるようになる。
【００６５】
また、第１の実施形態の照明装置では、プリズムシート１の各プリズム１ａの断面形状が多角形状に設定されている。図３は図１および図２に示したプリズムシート１のプリズム１ａの拡大断面図などを示した図である。詳細には、図３（Ａ）はプリズムシート１のプリズム１ａの拡大断面図を示しており、図３（Ｂ）はプリズムシート１に入射せしめられた入射光Ｌ３がプリズム１ａによって反射せしめられ、出射光Ｌ３’として出射せしめられる様子を示しており、図３（Ｃ）はプリズムシート１に入射せしめられた入射光Ｌ４がプリズム１ａによって反射せしめられ、出射光Ｌ４’として出射せしめられる様子を示している。また、図３（Ｄ）はプリズムシート１に入射せしめられた入射光Ｌ５がプリズム１ａによって反射せしめられ、出射光Ｌ５’として出射せしめられる様子を示しており、図３（Ｅ）はプリズムシート１に入射せしめられた入射光Ｌ６がプリズム１ａによって反射せしめられ、出射光Ｌ６’として出射せしめられる様子を示している。
【００６６】
第１の実施形態の照明装置では、図３（Ａ）に示すように、プリズムシート１の各プリズム１ａの断面形状が多角形状に設定されているが、第３の実施形態の照明装置では、代わりに、プリズムシート１の各プリズム１ａの断面形状を略円形状に設定することも可能である。図４は第３の実施形態の照明装置のプリズムシート１のプリズム１ａの拡大断面図である。第３の実施形態の照明装置においても、第１の実施形態の照明装置とほぼ同様の効果を奏することができる。つまり、第３の実施形態の照明装置においても、プリズムシート１が筋状に光って見える。
【００６７】
更に、第１の実施形態の照明装置では、図１に示すように、プリズムシート１の上端よりも上側に光源２が配置されているが、第１の実施形態の照明装置の変形例では、プリズムシート１の上端よりも下側に光源２を配置することも可能である。
【００６８】
また、第１の実施形態の照明装置では、図１に示すように、プリズムシート１の背面側（図１の右側）の面にプリズム１ａが形成されている。換言すれば、プリズムシート１の両面のうち、観察者３の反対側（図１の右側）の面にプリズム１ａが形成されている。一方、本発明者等の研究では、図５に示すように、プリズムシート１の手前側（図５の左側）の面にプリズム１ａが形成されている場合、換言すれば、プリズムシート１の両面のうち、観察者３の側（図５の左側）の面にプリズム１ａが形成されている場合にも、プリズムシート１上に筋状に光って見える部分が現れることが確認された。
【００６９】
つまり、第１の実施形態の照明装置では、図１に示すように、プリズムシート１の背面側（図１の右側）の面にプリズム１ａが形成されているが、第４の実施形態の照明装置では、代わりに、図５に示すように、プリズムシート１の手前側（図５の左側）の面にプリズム１ａを形成することも可能である。図５は第４の実施形態の照明装置の右側面図である。
【００７０】
更に、本発明者等の研究では、図示しないが、プリズムシート１の両面にプリズム１ａが形成されている場合にも、プリズムシート１上に筋状に光って見える部分が現れることが確認された。つまり、第１の実施形態の照明装置では、図１に示すように、プリズムシート１の背面側（図１の右側）の面にプリズム１ａが形成されているが、第５の実施形態の照明装置では、代わりに、プリズムシート１の両面にプリズム１ａを形成することも可能である。
【００７１】
また、第１の実施形態の照明装置では、図１に示すように、プリズムシート１の手前側（図１の左側）に光源２が配置されている。換言すれば、観察者３とプリズムシート１との間に光源２が配置されている。一方、本発明者等の研究では、図６に示すように、プリズムシート１の背面側（図６の右側）に光源２が配置されている場合、換言すれば、観察者３と光源２との間にプリズムシート１が配置されている場合にも、プリズムシート１上に筋状に光って見える部分が現れることが確認された。
【００７２】
つまり、第１の実施形態の照明装置では、図１に示すように、プリズムシート１の手前側（図１の左側）に光源２が配置されているが、第６の実施形態の照明装置では、代わりに、図６に示すように、プリズムシート１の背面側（図６の右側）に光源２を配置することも可能である。図６は第６の実施形態の照明装置の右側面図である。
【００７３】
第６の実施形態の照明装置では、図６に示すように、光源２の主光軸線２Ｌとプリズムシート１とが例えば０°〜３０°のような０°より大きい角度θ２をなすように、光源２およびプリズムシート１が配置されている。換言すれば、第６の実施形態の照明装置では、光源２の主光軸線２Ｌとプリズムシート１とが平行になるように光源２およびプリズムシート１が配置されるのではなく、図６に示すように、光源２の主光軸線２Ｌとプリズムシート１とが平行にならないように光源２およびプリズムシート１が配置されている。
【００７４】
また、第６の実施形態の照明装置では、図６に示すように、プリズムシート１の背面側（図６の右側）の面にプリズム１ａが形成されている。換言すれば、プリズムシート１の両面のうち、観察者３の反対側（図６の右側）の面にプリズム１ａが形成されている。一方、本発明者等の研究では、図７に示すように、プリズムシート１の手前側（図７の左側）の面にプリズム１ａが形成されている場合、換言すれば、プリズムシート１の両面のうち、観察者３の側（図７の左側）の面にプリズム１ａが形成されている場合にも、プリズムシート１上に筋状に光って見える部分が現れることが確認された。
【００７５】
つまり、第６の実施形態の照明装置では、図６に示すように、プリズムシート１の背面側（図６の右側）の面にプリズム１ａが形成されているが、第７の実施形態の照明装置では、代わりに、図７に示すように、プリズムシート１の手前側（図７の左側）の面にプリズム１ａを形成することも可能である。図７は第７の実施形態の照明装置の右側面図である。
【００７６】
更に、本発明者等の研究では、図示しないが、プリズムシート１の両面にプリズム１ａが形成されている場合にも、プリズムシート１上に筋状に光って見える部分が現れることが確認された。つまり、第６の実施形態の照明装置では、図６に示すように、プリズムシート１の背面側（図６の右側）の面にプリズム１ａが形成されているが、第８の実施形態の照明装置では、代わりに、プリズムシート１の両面にプリズム１ａを形成することも可能である。
【００７７】
第６の実施形態の照明装置では、図６に示すように、光源２の手前側（図６の左側）にプリズムシート１が配置されているが、第９の実施形態の照明装置では、図８に示すように、光源２の手前側（図８の左側）のプリズムシート１に加えて、プリズム１ａ’が形成されたプリズムシート１’が、光源２の背面側（図８の右側）にも配置されている。図８は第９の実施形態の照明装置の右側面図である。
【００７８】
第９の実施形態の照明装置では、図８に示すように、光源２から放射された光のみならず、プリズムシート１’から出射せしめられた光が、プリズムシート１に入射せしめられ、プリズムシート１内で屈折および反射を繰り返し、観察者３に集光せしめられる。そのため、第９の実施形態の照明装置によれば、図６に示す第６の実施形態の照明装置よりも、筋状の光を強くすることができる。
【００７９】
更に、本発明者等の研究では、図示しないが、プリズムシート１の両面にプリズム１ａが形成されている場合にも、プリズムシート１上の筋状の光が強くなることが確認された。つまり、第９の実施形態の照明装置では、図８に示すように、プリズムシート１の背面側（図８の右側）の面にプリズム１ａが形成されているが、第１０の実施形態の照明装置では、代わりに、プリズムシート１の両面にプリズム１ａを形成することも可能である。
【００８０】
更に、第９の実施形態の照明装置では、図８に示すように、光源２の主光軸線２Ｌに沿って光源２から照射された光が、プリズムシート１’ではなく、プリズムシート１に到達するように、光源２が配置されているが、第９の実施形態の照明装置の変形例では、光源２の主光軸線２Ｌに沿って光源２から照射された光が、プリズムシート１ではなく、プリズムシート１’に到達するように、光源２を配置することも可能である。第９の実施形態の照明装置の変形例によれば、第９の実施形態の照明装置よりも観察者３から見える筋状の光が弱くなるものの、筋状の光を発生させることができる。
【００８１】
また、第９の実施形態の照明装置では、図８に示すように、プリズムシート１’の背面側（図８の右側）の面にプリズム１ａ’が形成されている。換言すれば、プリズムシート１’の両面のうち、観察者３の反対側（図８の右側）の面にプリズム１ａ’が形成されている。一方、本発明者等の研究では、図９に示すように、プリズムシート１’の手前側（図９の左側）の面にプリズム１ａ’が形成されている場合、換言すれば、プリズムシート１’の両面のうち、観察者３の側（図９の左側）の面にプリズム１ａ’が形成されている場合にも、図６に示す第６の実施形態の照明装置よりも、プリズムシート１上の筋状の光が強くなることが確認された。
【００８２】
つまり、第９の実施形態の照明装置では、図８に示すように、プリズムシート１’の背面側（図８の右側）の面にプリズム１ａ’が形成されているが、第１１の実施形態の照明装置では、代わりに、図９に示すように、プリズムシート１’の手前側（図９の左側）の面にプリズム１ａ’を形成することも可能である。図９は第１１の実施形態の照明装置の右側面図である。
【００８３】
更に、本発明者等の研究では、図示しないが、プリズムシート１の両面にプリズム１ａが形成されている場合にも、プリズムシート１上の筋状の光が強くなることが確認された。つまり、第１１の実施形態の照明装置では、図９に示すように、プリズムシート１の背面側（図９の右側）の面にプリズム１ａが形成されているが、第１２の実施形態の照明装置では、代わりに、プリズムシート１の両面にプリズム１ａを形成することも可能である。
【００８４】
第７の実施形態の照明装置では、図７に示すように、光源２の手前側（図７の左側）にプリズムシート１が配置されているが、第１３の実施形態の照明装置では、図１０に示すように、光源２の手前側（図１０の左側）のプリズムシート１に加えて、プリズム１ａ’が形成されたプリズムシート１’が、光源２の背面側（図１０の右側）にも配置されている。図１０は第１３の実施形態の照明装置の右側面図である。
【００８５】
第１３の実施形態の照明装置では、図１０に示すように、光源２から放射された光のみならず、プリズムシート１’から出射せしめられた光が、プリズムシート１に入射せしめられ、プリズムシート１内で屈折および反射を繰り返し、観察者３に集光せしめられる。そのため、第１３の実施形態の照明装置によれば、図７に示す第７の実施形態の照明装置よりも、筋状の光を強くすることができる。
【００８６】
また、第１３の実施形態の照明装置では、図１０に示すように、プリズムシート１’の背面側（図１０の右側）の面にプリズム１ａ’が形成されている。換言すれば、プリズムシート１’の両面のうち、観察者３の反対側（図１０の右側）の面にプリズム１ａ’が形成されている。一方、本発明者等の研究では、図１１に示すように、プリズムシート１’の手前側（図１１の左側）の面にプリズム１ａ’が形成されている場合、換言すれば、プリズムシート１’の両面のうち、観察者３の側（図１１の左側）の面にプリズム１ａ’が形成されている場合にも、図７に示す第７の実施形態の照明装置よりも、プリズムシート１上の筋状の光が強くなることが確認された。
【００８７】
つまり、第１３の実施形態の照明装置では、図１０に示すように、プリズムシート１’の背面側（図１０の右側）の面にプリズム１ａ’が形成されているが、第１４の実施形態の照明装置では、代わりに、図１１に示すように、プリズムシート１’の手前側（図１１の左側）の面にプリズム１ａ’を形成することも可能である。図１１は第１４の実施形態の照明装置の右側面図である。
【００８８】
上述したように、第１の実施形態の照明装置では、図１に示すように、プリズムシート１の手前側（図１の左側）に光源２が配置されているが、第１５の実施形態の照明装置では、図１２に示すように、プリズムシート１の手前側（図１２の左側）の光源２に加えて、プリズムシート１の背面側（図１２の右側）にミラー板４が配置されている。図１２は第１５の実施形態の照明装置の右側面図である。
【００８９】
第１５の実施形態の照明装置では、図１２に示すように、光源２から放射された光のみならず、ミラー板４によって反射せしめられた光が、プリズムシート１に入射せしめられ、プリズムシート１内で屈折および反射を繰り返し、観察者３に集光せしめられる。そのため、第１５の実施形態の照明装置によれば、図１に示す第１の実施形態の照明装置よりも、筋状の光を強くすることができる。
【００９０】
また、上述したように、第４の実施形態の照明装置では、図５に示すように、プリズムシート１の手前側（図５の左側）に光源２が配置されているが、第１６の実施形態の照明装置では、図１３に示すように、プリズムシート１の手前側（図１３の左側）の光源２に加えて、プリズムシート１の背面側（図１３の右側）にミラー板４が配置されている。図１３は第１６の実施形態の照明装置の右側面図である。
【００９１】
第１６の実施形態の照明装置では、図１３に示すように、光源２から放射された光のみならず、ミラー板４によって反射せしめられた光が、プリズムシート１に入射せしめられ、プリズムシート１内で屈折および反射を繰り返し、観察者３に集光せしめられる。そのため、第１６の実施形態の照明装置によれば、図５に示す第４の実施形態の照明装置よりも、筋状の光を強くすることができる。
【００９２】
更に、上述したように、第６の実施形態の照明装置では、図６に示すように、プリズムシート１の背面側（図６の右側）に光源２が配置されているが、第１７の実施形態の照明装置では、図１４に示すように、プリズムシート１の背面側（図１４の右側）の光源２に加えて、光源２の背面側（図１４の右側）にミラー板４が配置されている。図１４は第１７の実施形態の照明装置の右側面図である。
【００９３】
第１７の実施形態の照明装置では、図１４に示すように、光源２から放射された光のみならず、ミラー板４によって反射せしめられた光が、プリズムシート１に入射せしめられ、プリズムシート１内で屈折および反射を繰り返し、観察者３に集光せしめられる。そのため、第１７の実施形態の照明装置によれば、図６に示す第６の実施形態の照明装置よりも、筋状の光を強くすることができる。
【００９４】
また、上述したように、第７の実施形態の照明装置では、図７に示すように、プリズムシート１の背面側（図７の右側）に光源２が配置されているが、第１８の実施形態の照明装置では、図１５に示すように、プリズムシート１の背面側（図１５の右側）の光源２に加えて、光源２の背面側（図１５の右側）にミラー板４が配置されている。図１５は第１８の実施形態の照明装置の右側面図である。
【００９５】
第１８の実施形態の照明装置では、図１５に示すように、光源２から放射された光のみならず、ミラー板４によって反射せしめられた光が、プリズムシート１に入射せしめられ、プリズムシート１内で屈折および反射を繰り返し、観察者３に集光せしめられる。そのため、第１８の実施形態の照明装置によれば、図７に示す第７の実施形態の照明装置よりも、筋状の光を強くすることができる。
【００９６】
更に、上述したように、第９の実施形態の照明装置では、図８に示すように、光源２の背面側（図８の右側）にプリズムシート１’が配置されているが、第１９の実施形態の照明装置では、図１６に示すように、光源２の背面側（図１６の右側）のプリズムシート１’に加えて、プリズムシート１’の背面側（図１６の右側）にミラー板４が配置されている。図１６は第１９の実施形態の照明装置の右側面図である。
【００９７】
第１９の実施形態の照明装置では、図１６に示すように、光源２から放射された光のみならず、ミラー板４によって反射せしめられた光が、プリズムシート１’に入射せしめられ、そのプリズムシート１’からの光が、プリズムシート１内で屈折および反射を繰り返し、観察者３に集光せしめられる。そのため、第１９の実施形態の照明装置によれば、図８に示す第９の実施形態の照明装置よりも、筋状の光を強くすることができる。
【００９８】
また、上述したように、第１１の実施形態の照明装置では、図９に示すように、光源２の背面側（図９の右側）にプリズムシート１’が配置されているが、第２０の実施形態の照明装置では、図１７に示すように、光源２の背面側（図１７の右側）のプリズムシート１’に加えて、プリズムシート１’の背面側（図１７の右側）にミラー板４が配置されている。図１７は第２０の実施形態の照明装置の右側面図である。
【００９９】
第２０の実施形態の照明装置では、図１７に示すように、光源２から放射された光のみならず、ミラー板４によって反射せしめられた光が、プリズムシート１’に入射せしめられ、そのプリズムシート１’からの光が、プリズムシート１内で屈折および反射を繰り返し、観察者３に集光せしめられる。そのため、第２０の実施形態の照明装置によれば、図９に示す第１１の実施形態の照明装置よりも、筋状の光を強くすることができる。
【０１００】
更に、上述したように、第１３の実施形態の照明装置では、図１０に示すように、光源２の背面側（図１０の右側）にプリズムシート１’が配置されているが、第２１の実施形態の照明装置では、図１８に示すように、光源２の背面側（図１８の右側）のプリズムシート１’に加えて、プリズムシート１’の背面側（図１８の右側）にミラー板４が配置されている。図１８は第２１の実施形態の照明装置の右側面図である。
【０１０１】
第２１の実施形態の照明装置では、図１８に示すように、光源２から放射された光のみならず、ミラー板４によって反射せしめられた光が、プリズムシート１’に入射せしめられ、そのプリズムシート１’からの光が、プリズムシート１内で屈折および反射を繰り返し、観察者３に集光せしめられる。そのため、第２１の実施形態の照明装置によれば、図１０に示す第１３の実施形態の照明装置よりも、筋状の光を強くすることができる。
【０１０２】
また、上述したように、第１４の実施形態の照明装置では、図１１に示すように、光源２の背面側（図１１の右側）にプリズムシート１’が配置されているが、第２２の実施形態の照明装置では、図１９に示すように、光源２の背面側（図１９の右側）のプリズムシート１’に加えて、プリズムシート１’の背面側（図１９の右側）にミラー板４が配置されている。図１９は第２２の実施形態の照明装置の右側面図である。
【０１０３】
第２２の実施形態の照明装置では、図１９に示すように、光源２から放射された光のみならず、ミラー板４によって反射せしめられた光が、プリズムシート１’に入射せしめられ、そのプリズムシート１’からの光が、プリズムシート１内で屈折および反射を繰り返し、観察者３に集光せしめられる。そのため、第２２の実施形態の照明装置によれば、図１１に示す第１４の実施形態の照明装置よりも、筋状の光を強くすることができる。
【０１０４】
第２３の実施形態では、上述した第１から第２２の実施形態およびそれらの変形例を適宜組合わせることも可能である。
【産業上の利用可能性】
【０１０５】
本発明の照明装置は、例えば飲料、タバコなどの自動販売機に適用可能である。詳細には、本発明の照明装置が、例えば飲料、タバコなどの見本商品の背面に配置され、プリズムシート１が見本商品の背面で筋状に光って見えると、見本商品が浮いているように見本商品を購買者に見せることができる。その結果、見本商品を目立たせることができ、商品の売り上げの向上を期待することができる。
【０１０６】
更に、本発明の照明装置は、例えば所謂システムキッチンなどの戸棚内の壁面照明装置、住宅の室内、バスルーム内などの壁面照明装置、エレベータの天井照明装置などに適用可能である。
【図面の簡単な説明】
【０１０７】
【図１】第１の実施形態の照明装置の右側面図である。
【図２】第１の実施形態の照明装置の正面図である。
【図３】図１および図２に示したプリズムシート１のプリズム１ａの拡大断面図などを示した図である。
【図４】第３の実施形態の照明装置のプリズムシート１のプリズム１ａの拡大断面図である。
【図５】第４の実施形態の照明装置の右側面図である。
【図６】第６の実施形態の照明装置の右側面図である。
【図７】第７の実施形態の照明装置の右側面図である。
【図８】第９の実施形態の照明装置の右側面図である。
【図９】第１１の実施形態の照明装置の右側面図である。
【図１０】第１３の実施形態の照明装置の右側面図である。
【図１１】第１４の実施形態の照明装置の右側面図である。
【図１２】第１５の実施形態の照明装置の右側面図である。
【図１３】第１６の実施形態の照明装置の右側面図である。
【図１４】第１７の実施形態の照明装置の右側面図である。
【図１５】第１８の実施形態の照明装置の右側面図である。
【図１６】第１９の実施形態の照明装置の右側面図である。
【図１７】第２０の実施形態の照明装置の右側面図である。
【図１８】第２１の実施形態の照明装置の右側面図である。
【図１９】第２２の実施形態の照明装置の右側面図である。
【符号の説明】
【０１０８】
１              プリズムシート
１ａ            プリズム
１ｂ            部分
２              光源
２Ｌ            主光軸線
３              観察者
Ｌ１，Ｌ２      光
Ｌ１’，Ｌ２’  光
【図１】
0004641264.tif 000002
【図２】
0004641264.tif 000003
【図３】
0004641264.tif 000004
【図４】
0004641264.tif 000005
【図５】
0004641264.tif 000006
【図６】
0004641264.tif 000007
【図７】
0004641264.tif 000008
【図８】
0004641264.tif 000009
【図９】
0004641264.tif 000010
【図１０】
0004641264.tif 000011
【図１１】
0004641264.tif 000012
【図１２】
0004641264.tif 000013
【図１３】
0004641264.tif 000014
【図１４】
0004641264.tif 000015
【図１５】
0004641264.tif 000016
【図１６】
0004641264.tif 000017
【図１７】
0004641264.tif 000018
【図１８】
0004641264.tif 000019
【図１９】
0004641264.tif 000020